(57)【特許請求の範囲】
【請求項１】
車両（１５）と別の道路使用者との最初の衝突発生後に、ブレーキモデルに従った車両セーフティーシステム（１）によって自動ブレーキ係合が解放されることによって、予想され得る後続衝突を回避するための、若しくは衝突の事故結果を低減させるための方法において、
固有の走行特性から車両データを算出し、算出された前記車両データを記憶装置（１０）に一時記憶し、一時記憶された前記車両データから、その時点に走行中の道路カテゴリー（１４）を推測し、決定された前記道路カテゴリー（１４）に依存して仮想の後続車両との特徴的な間隔を示す初期間隔（ｄ０）を決定し、ブレーキの解放条件を、前記初期間隔（ｄ０）を用いて算出することを特徴とする、予想され得る後続衝突を回避するための、若しくは衝突の事故結果を低減させるための方法。
【請求項２】
記憶された前記車両データを、それぞれの前記道路カテゴリーのための記録されたパターンと比較することによって、その時点に走行中の前記道路カテゴリー（１４）を記憶された前記車両データから決定することを特徴とする、請求項１に記載の方法。
【請求項３】
前記道路カテゴリー（１４）として、市街地走行（Ｓ０６）、郊外走行（Ｓ０７）、および高速道路走行（Ｓ０８）のカテゴリーのうちの少なくとも１つが設けられていることを特徴とする、請求項１または２に記載の方法。
【請求項４】
前記道路カテゴリー（１４）が、その時点に走行中の道路が対面交通を有しているかまたは対面交通を有していないかを、追加的に決定することを特徴とする、請求項２または３に記載の方法。
【請求項５】
前記道路カテゴリー（１４）のための記録されたパターンを、発見的に算出された前記車両データから決定することを特徴とする、請求項１から４のいずれか１項に記載の方法。
【請求項６】
その時点に走行中の前記道路カテゴリー（１４）を決定するために、ナビゲーションシステムのカード情報（Ｓ０９）を追加的に使用することを特徴とする、請求項１から５のいずれか１項に記載の方法。
【請求項７】
前記車両データが、
前記車両の固有速度（Ｖ１）、
前記車両の車両加速度若しくは車両減速度（ａ）、
加速頻度若しくは減速頻度、
ギヤシフト操作の頻度、
ステアリング作動の頻度、および
ステアリング切れ角の大きさ、
のうちの少なくとも１つ、
から成っていることを特徴とする、請求項１から６のいずれか１項に記載の方法。
【請求項８】
前記車両データに追加して、周囲センサシステム（７）のデータを算出し、かつ処理し、前記周囲センサシステム（７）が、別の道路使用者（１６）の間隔（ｄ）および／または相対速度（Ｖｒｅｌ）を算出し、かつ提供することを特徴とする、請求項１から７のいずれか１項に記載の方法。
【請求項９】
前記車両データを環状記憶装置（１０）に記憶することを特徴とする、請求項１から８のいずれか１項に記載の方法。
【請求項１０】
前記記憶装置（１０）の記録速度が、瞬間的に決定された前記道路カテゴリー（１４）に依存して可変であることを特徴とする、請求項１から９のいずれか１項に記載の方法。
【請求項１１】
予想され得る後続衝突を回避するための、若しくは衝突の事故結果を低減させるための装置であって、該装置が、車両（１５）と別の道路使用者との最初の衝突を検知することができ、最初の衝突発生後に、ブレーキモデルに従って自動的に、前記装置（１）によって減速装置（１３）が解放される形式の装置において、
前記装置（１）に、車両センサ（３，４，５，６，７）から車両データが供給され、供給された前記車両データが前記装置（１）の記憶装置（１０）に一時記憶され、一時記憶された前記車両データから処理装置（９）によって、その時点に走行中の道路カテゴリー（１４）が推測され、決定された前記道路カテゴリー（１４）に依存して、前記装置に記憶された仮想の後続車両との特徴的な間隔を示す初期間隔（ｄ０）が読み取られ、前記装置が、前記初期間隔（ｄ０）を用いて、前記減速装置（１３）の解放条件を算出し、かつ前記減速装置（１３）にアウトプットすることを特徴とする、予想され得る後続衝突を回避するための、若しくは衝突の事故結果を低減させるための装置。
【請求項１２】
前記装置に周囲センサシステム（７）のデータが供給され、前記周囲センサシステム（７）が、別の道路使用者（１６）の間隔（ｄ）および／または相対速度（Ｖｒｅｌ）を算出し、かつ提供することを特徴とする、請求項１１に記載の装置。
【発明の詳細な説明】
【技術分野】
【０００１】
本発明は、予想され得る後続衝突を回避するための、若しくは衝突の事故結果を低減させるための方法および装置に関するものであって、この方法および装置において、固有の走行特性から車両データが算出され、算出された車両データが記憶装置に一時記憶され、一時記憶された前記車両データから、その時点に走行中の道路カテゴリーが推測され、決定された道路カテゴリーに依存して初期間隔が決定され、ブレーキの解放条件が、前記初期間隔を用いて算出されることによって、車両と別の道路使用者との最初の衝突発生後に、ブレーキモデルに従った車両セーフティーシステムによって自動ブレーキ係合が解放される。
【背景技術】
【０００２】
特許文献１によれば、車両セーフティーシステムによる自動ブレーキ係合の作動後に、追突事故を回避するための方法が公知である。この場合、仮想車両の接近のためのモデルが使用されることによって、予想され得る、後続車両による追突事故の危険性および程度が著しく低減され得る。このモデルの枠内で、ブレーキ解放のための条件が算出され、この条件が発生したときにブレーキが少なくとも部分的に解放される。この場合、ブレーキ解放のための時点が決定され、このために、特に最初の間隔および、仮想後続車両の理論的な仮想特性が仮定される。この場合、先行車両のブレーキのための解放条件は、自車に対する後続車両の仮定された初期間隔に特に依存しており、後続車両の初期間隔は、例えば「ｈａｌｂｅｒ  Ｔａｃｈｏ（半分の速度）」という経験則または自己速度の任意の数倍から得られる。
【先行技術文献】
【特許文献】
【０００３】
【特許文献１】ドイツ連邦共和国特許出願公開第１０２００７０１９９９１号明細書
【発明の概要】
【０００４】
本発明の核心は、車両と別の道路使用者との最初の衝突発生後に、ブレーキモデルに従った車両セーフティーシステムによって自動ブレーキ係合が解放されることによって、予想され得る後続衝突を回避するための、若しくは衝突の事故結果を低減させるための方法および装置に関するものである。衝突状況の検知の際に車両減速が自動的に作動され、場合によっては実行される自動非常ブレーキシステムは、市場において常に広く普及している。この場合、非常ブレーキの作動後に自動的な減速が停止状態まで継続されるのではなく、決定された解放条件が存在すると、車両ブレーキが再び解放されることによって、衝突危険性若しくは予想され得る衝突程度は、自車のためにもまた後続交通のためにも、さらに低減され得る。本発明によれば、必ずしも周囲センサシステムを必要としない車両において、解放条件が、特徴的な運動を有する仮想の後続車両から得られるブレーキモデルに基づいて演算されることによって、衝突危険性若しくは衝突程度は、さらに低減され得る。このモデルをさらに改良するために、自車に対する仮想の後続車両の初期間隔は、自動車両ブレーキの作動時に可変に形成されていて、その時点に走行中の道路カテゴリーの形式に適合され得る。本発明によれば、このことは、独立請求項の特徴によって解決される。
【０００５】
好適な実施例および実施態様は、従属請求項に記載されている。
【０００６】
この場合、その時点の瞬間的な固有の走行特性から、記憶装置に一時記憶される車両データを算出することができる。これらの一時記憶された車両データから、これらの車両データにより決定された道路カテゴリーに依存して、自動ブレーキの作動時点における仮想の後続車両の特徴的な間隔を示す初期間隔が決定されることによって、その時点に走行中の道路のカテゴリーを推測することができる。この初期間隔をその時点に走行中の道路カテゴリーに適合させることによって、さらに、最初の衝突発生後のブレーキの解放条件が、前記適合された初期間隔を用いて決定され、これによって、後続車両との衝突危険性若しくは衝突程度は低減され得る。
【０００７】
道路カテゴリーの概念は、本発明の枠内で、その時点に走行中の道路の型式および構造上の状態のことである。従って、道路カテゴリーが、例えばアウトバーンであるか、幹線道路であるか、または村落内の市街地走行であるかを推測することができ、それによってその時点に走行中の道路の種類に関する非常に正確な仮定が得られる。さらに、対面交通が存在するかどうか、例えば両進行方向がグリーンベルトおよび／またはガードレールによって分離されたアウトバーンにおいてそうであるように、対面交通が構造的に分離された車道上に存在しているかどうかについてまで、道路カテゴリーを追加的にまたは選択的に決定することも可能である。
【０００８】
本発明の好適な変化実施例によれば、記憶された走行データがそれぞれの道路カテゴリーのための記録されたパターンと比較されることによって、記憶された走行データから、その時点に走行中の道路カテゴリーが決定される。また、好適には、車両の走行データは、車両固有のセンサによって決定される単数または複数の以下の値から成っているとよい。つまり車両の走行データとは、特に自車の固有速度であり、自車の車両加速度若しくは車両減速度であり、所定の経過時間内または所定の走行距離内の加速頻度若しくは減速頻度であり、また、ギヤシフト頻度が検出され、さらにステアリング作動の頻度が検出され、追加的にまたは選択的にステアリング切れ角の大きさが検出され得る。単数または複数の前記値を検出することによって、その時点に走行中の道路カテゴリー、例えばアウトバーン、郊外道路または市街地走行、若しくは対面交通を有する道路または対面交通なしの道路が推測され、それによって、車両周囲の別の道路使用者の走行特性も推測することができる。
【０００９】
また好適な形式で、典型的な道路カテゴリーを走行し、それに関連した車両データが集められ、その結果から、道路カテゴリーを決定することができるパターンが導き出されることによって、その時点に走行中の道路カテゴリーを決定するための、記録されたパターンが発見的に算出される。さらに、その時点に走行中の道路カテゴリーを決定するために、ナビゲーションシステムのカード情報を追加的に使用することができる。ナビゲーションシステムは今日では車両に非常に広く普及しており、このような形式のシステムは瞬間的な位置の決定を可能にする受信器を有しており、また記憶されたカード情報を介して、自車の瞬間的な位置を決定することができる。瞬間的な位置を知ることによって、およびその時点に走行中の道路の種類に関するカードデータの情報によって、ナビゲーションシステムによる道路カテゴリーの決定が追加的に妥当化され得る。さらに、ナビゲーションシステムによるその時点に走行中の道路カテゴリーの決定に基づいて、道路カテゴリーのための、記憶装置に記録されたパターンを、時間の経過につれてさらに個別化および／または改良することも考えられる。
【００１０】
車両固有のセンサによって集められた走行データは、所定の継続時間に亘って、若しくは所定の走行距離に亘って車両に記憶され、この記憶された走行データを、記録されたパターンと比較することができる。この車両データの記憶は、好適な形式で環状記憶装置によって行われ、この環状記憶装置内に、検出された車両データが連続的に書き込まれ、記憶装置が完全に一杯になると、最も古いデータが新しいデータによって上書きされる。これによって、好適には、記憶装置内にファイルされたデータを測定ウインドに割り当てることができる。この測定ウインドは、所定の継続時間または所定の走行距離を表していて、常に最新のデータを含んでいる。
【００１１】
また、車両データ、例えば固有速度、車両加速度、加速頻度、ギヤシフト頻度、ステアリング作動の頻度および／またはステアリング切れ角の大きさが、書き込まれかつ記憶される記憶装置の記録速度が可変に構成されていれば、好適である。この場合、記録速度の変化、つまりデータが記憶される、時間単位当たりの頻度は、瞬間的に決定される道路カテゴリーに依存して変えることができる。これによって、車両データの迅速な変化が行われない走行状況においては、車両データはあまり頻繁に記録されなくてよく、若しくは、通り過ぎた道路カテゴリーに基づいて典型的な形式で得られる、迅速に変化する走行状況においては、より頻繁な記録速度が提供されてよい。さらに、挙げられた車両データのうちの幾つかだけが、瞬間的に決定された道路カテゴリーに依存して変えられ、車両データの枠内で算出される別の値が、瞬間的に決定された道路カテゴリーに依存しない記録速度で記録されることも考えられる。
【００１２】
また、特に好適には、車両が追加的に周囲センサシステムを有しており、これによって、別の道路使用者の間隔および／または相対速度を算出し、本発明による方法に提供することができる。このような形式の周囲センサシステムは、最新の運転者支援システムのために設けられていて、レーダセンサ、ライダーセンサまたはビデオセンサより成っていて、例えば先行するまたは後続の道路使用者または交通対象物の間隔および／または相対速度を決定することができる。別の道路使用者または交通対象物の間隔および／または相対速度の知識によって、これらの知識が車両前方だけにおいて算出される場合でも、その時点に走行中の道路カテゴリーをより正確に決定することができ、ひいては仮想の後続の道路使用者の間隔を、直接的に検出または測定することなしに、より正確に決定することもできる。
【００１３】
特に重要なことは、本発明による方法が、自動車の自動非常ブレーキ機能のコントロールユニットのために設けられた制御素子の形で実現されている、という点にある。この場合、制御素子にプログラムが記憶されており、このプログラムは、計算機、特にマイクロプロセッサまたは信号プロセッサで実行可能であり、本発明による方法を実施するために適している。つまりこの場合、本発明は、この制御素子に記憶されたプログラムによって実現されるので、このプログラムを備えた制御素子は、実行するためにこのプログラムが適している方法と同じ形式で本発明を成すものである。制御素子として、特に電気的な記憶媒体、例えばリードオンリメモリーを使用することができる。
【００１４】
本発明のその他の特徴、使用可能性および利点は、図面に示した本発明の実施例の以下の説明に記載されている。この場合、全ての説明または図示の特徴は、特許請求の範囲の要約または請求項の引用関係とは無関係に、並びに明細書若しくは図面中の文言若しくは表示とは無関係に、単独でもまた任意の組み合わせでも本発明の対象を形成するものである。
【００１５】
以下に、本発明の実施例を図面に基づいて説明する。
【図面の簡単な説明】
【００１６】
【図１】本発明による装置の概略的な実施例を示す図である。
【図２】本発明の枠内において典型的な形式で発生し得る典型的な交通状況を示す図である。
【図３】本発明による方法の１実施例のフローチャートである。
【発明を実施するための形態】
【００１７】
図１には、初期間隔ｄ０を決定するための本発明による装置１が示されている。初期間隔ｄ０を決定するための装置１に、入力回路２によって、車両内部の様々なセンサの車両データが供給され、これらのデータが本発明による方法の枠内でさらに評価される。この場合、入力回路２に、速度センサ３のデータが供給される。速度センサはすべての車両に設けられている。何故ならば、これらの速度センサは、ＡＢＳコントロールまたはＥＳＰコントロールの枠内で、若しくはタコメータの速度表示の枠内で検知されるべきだからである。さらに、入力回路２に、加速度センサ４の信号が供給される。この場合、加速度センサ４は車両加速度だけを測定するのではなく、車両減速度も測定し、車両前後方向の加速度および減速度も、また車両横方向の加速度若しくは減速度も算出し、さらに先へ送信することができる。この場合、加速度の大きさだけではなく、加速操作の頻度および継続時間の長さも評価される。さらに、この装置１の入力回路２に、ステアリングアングルセンサ５の信号が供給される。この場合、ステアリングアングルセンサ５は、運転者によるハンドル回転運動を検出し、舵角も頻度も検出して、本発明による装置１に供給することができる。さらに、この装置１の入力回路２に、トランスミッションセンサ６の信号が供給されることが考えられる。この場合、トランスミッションセンサ６は、瞬間的に入れられたギヤ段を検出することができ、言い換えれば、ギヤ段切替えの頻度、つまりギヤシフト頻度を検出することができ、装置１の入力回路２に供給することができる。さらに、入力回路２に周囲センサシステム７の信号が供給されるようになっていてよい。この周囲センサシステム７は、単数または複数のレーダセンサ、ライダーセンサ、ビデオセンサまたは超音波センサより成っていてよく、例えば車両に装備されたパーキングアシストまたはアダプティブな車間および速度自動制御システムの枠内で設けられていてよい。このような周囲センサ７若しくは周囲センサシステム７は、センサ検出範囲内に存在する別の道路使用者および別の交通対象物の間隔および／または相対速度を含んでいる。この場合、周囲センサシステムは、車両前方方向に向けられていて、例えばアダプティブクルーズコントロールのために設けられたセンサであってよい。センサ３〜７によって供給された測定値および車両データは、入力回路２を介して初期間隔を決定するための装置１に供給される。これらのデータは、入力回路２から、特にバスシステムとして構成されていてよいデータ交換装置８によって記憶装置１０に供給される。この記憶装置１０は、好適な形式で環状記憶装置として構成されていてよい。この環状記憶装置内に、車両データがシーケンスに従って書き込まれ、記憶場所が完全に一杯になると直ちに、最も古いデータが新たなデータによって上書きされる。記憶装置１０に記憶されたこの車両データは、再びデータ交換装置８を介して、例えばマイクロプロセッサまたは信号プロセッサとして構成されていてよい演算装置９で読み取られ得る。この演算装置９で、車両データから自車の運動の特徴的な値が算出され、この算出された値が、初期間隔を決定するための装置１にファイルされた特徴的なパターンと比較され得る。この特徴的なパターンは、装置１内の図示していない別の記憶装置にファイルされているか、または本発明による方法の開始時に演算装置９に読み込まれるか、または周期的に上書きされない、記憶装置１０の部分領域内に永続的にファイルされていてよい。装置１に記録されている特徴的なパターンと、その時点に走行特性から決定された値との比較に基づいて、記録されている特徴的なパターンのうちのどのパターンが、その時点の瞬間的な走行データから決定された値に最適に合致するかが見つけ出されることによって、その時点に走行中の道路カテゴリーを推測することができる。これによって、自車１５がその時点にアウトバーン上またはアウトバーンのような高速道路上を走行しているかどうか、自車１５が市内交通内に位置する道路上を走行途中であるかまたは郊外道路上を走行中であるかどうか、若しくはその時点で走行している道路カテゴリーが、直接的に隣接する対面交通用の車道を有しているか、または対面交通が構造的に分離された車道上にあるかどうかも、演算装置９は高い確率で確認することができる。その時点に走行中の道路カテゴリーの決定に基づいて、例えばそれぞれの記録された道路カテゴリーのために記憶された、適合した初期間隔ｄ０を決定することができる。
【００１８】
自車が関与している最初の衝突が検知されると、従来技術により公知のアルゴリズムを介して、自動非常ブレーキが作動される。このような形式の自動非常ブレーキは、通常は、自動車両減速装置が所定の時点で自動的に作動され、それによって後続車両のための衝突程度若しくは衝突危険性を低下させることができるブレーキモデルによって実施される。この自動非常ブレーキを作動させるために、若しくは非常ブレーキの自動的な作動のために、演算装置９がデータ交換装置８を介して制御信号をアウトプットすることができ、この制御信号が出力回路１１を介して、後置されたブレーキ装置１３若しくはブレーキ制御装置１３にアウトプットされ、車両減速装置が調整信号に応じて操作される。
【００１９】
図２には、本発明を詳しく説明するための交通状況の一例が示されている。図２には、車道１４が示されており、この車道１４は、左右の車線マークによって区切られている。この車道１４上を、固有の車速Ｖ１で進む、本発明による装置１を装着した車両１５が走行している。初期間隔を決定するための装置１は、コントロールユニットとして車両１５に設けられていてよい。オプション的に、周囲センサシステム７が設けられていてもよい。この周囲センサシステム７は、図２に図示されているように、車両１５の車体後部に取り付けられていて、別の道路使用者の追加的な間隔データおよび相対速度データ並びに交通対象物を検出して、本発明による装置１に供給する。周囲センサシステム７を、車両１５の車体前部の、例えばアダプティブクルーズコントロールの範囲内にだけ取り付けて、前方に向かって測定された間隔値および／または相対速度値から、後続交通の特徴的な間隔値を求めることもできる。本発明による装置１を装着した車両１５に、別の後続の車両１６が続いており、この後続の車両１６は、先行する車両１５に車速Ｖ２で追従走行している。この場合、先行する車両１５の後ろを追従走行する車両１６が、先行する車両１５に対して保っている間隔は、ｄ０として示されている。周囲センサシステム７が設けられていないか、または周囲センサシステム７が先行する車両１５の車体前部に固定されている場合、間隔ｄ０を直接決定することはできないので、間隔ｄ０および後続の車両１６の速度Ｖ２は仮定される。
【００２０】
図３には、本発明による装置１の演算装置９で実行され、減速装置１３を、最初の衝突後に衝突危険性若しくは衝突程度がさらに低下されるように操作するのに適したフローチャートが示されている。本発明による方法は、ステップＳ０１でスタートする。これは例えば車両１５の点火装置を操作することによって行われ得るか、または相応のシステムのオン／オフスイッチを作動させることによって行われ得る。次のステップＳ０２で、車両データが車両センサ３〜７によって算出され、入力回路２およびデータ交換装置８を介して環状記憶装置１０に書き込まれる。記憶装置１０が環状記憶装置として構成されていることによって、変動する測定ウインドの最新の車両データが常に提供されることが保証される。ステップＳ０２で読み込まれた車両データから、次のステップＳ０３で車両データによる瞬間的なパターンが発生される。この場合、車両の大きさおよび車速が評価され、車両加速若しくは車両減速の頻度並びに頻度の振幅が考慮されてよく、さらに、ステアリングアングルセンサ信号がステアリング作動の大きさおよび／またはステアリング作動の頻度に関連して評価されてよく、また、瞬間的に入れられたギヤ段を検知し、かつ／またはギヤ段切替えの頻度を検出するトランスミッション信号が評価されてよい。提供された瞬間的な車両データから瞬間的なパターンが決定されると、次のステップＳ０４で、この瞬間的なパターンが装置１内に記録された市街地走行のためのパターンと一致するかどうかがテストされる。決定された瞬間的なパターンと市街地走行のための記録されたパターンとの間の非常に高い一致性が存在すれば、ステップＳ０４が「ｊａ（イエス）」に分岐し、ステップＳ０６に移行される。ステップＳ０４において一致性があまり高くないかまたは所定の閾値を下回っていれば、ステップＳ０４は「ｎｅｉｎ（ノー）」に分岐し、この方法はステップＳ０５に移行され、このステップＳ０５で、最新の車両データからの瞬間的なパターンが、装置１に記録されたアウトバーン走行のためのパターンと一致するかどうかがさらにテストされる。ステップＳ０５で、瞬間的なパターンと、アウトバーン走行のための記録されたパターンとの間に高い一致性が検知されると、ステップＳ０５は「ｊａ（イエス）」に分岐し、この方法はステップＳ０７に移行される。これに対してステップＳ０５で、瞬間的なパターンとアウトバーン走行のための記録されたパターンとの間の一致性が低いか、若しくは別の所定の閾値を下回っていることが検知されると、ステップＳ０５は「ｎｅｉｎ（ノー）」に分岐し、この方法はステップＳ０８に移行される。こうして、ステップＳ０６、Ｓ０７、Ｓ０８で、検知された道路カテゴリーのために典型的であり、かつその他の方法のために使用される、それぞれの初期間隔ｄ０が決定される。ステップＳ０４で、車両が、その時点に高い確率で市街地走行中であることが検知されると、ステップＳ０６で、市街地走行のための初期間隔ｄ０がアルゴリズムに読み込まれる。ステップＳ０５で、車両が非常に高い確率でアウトバーン上を走行しているか、またはアウトバーンのような高速道路上を走行していることが検知されると、ステップＳ０７で、アウトバーン走行のための初期間隔ｄ０がアルゴリズムに読み込まれ、さらに使用される。ステップＳ０４およびＳ０５でそれぞれ、車両が高い確率で市街地走行でもなく、アウトバーン走行でもないことが検知されると、車両が幹線道路上を走行していることが推測され、ステップＳ０８で、郊外走行のための初期間隔ｄ０がアルゴリズムに読み込まれる。この場合、それぞれの道路カテゴリーのための間隔ｄ０は、装置１内に記録され、検知された道路カテゴリーに応じて読み取られる特徴的な間隔値である。ステップＳ０６，Ｓ０７またはＳ０８のいずれか１つにおいて、その時点に走行中の道路カテゴリーに依存して初期間隔ｄ０が決定された後で、本発明による方法はステップＳ１０に移行される。
【００２１】
オプション的に、ステップＳ１０の前にステップＳ０９が設けられていてよく、このステップＳ０９で、先行する車両１５にナビゲーションシステムが設けられている場合、瞬間的に検知された位置および、この位置とカード情報との一致性に基づいて、パターン比較により決定された道路カテゴリーが追加的に妥当化され得る。このためには、その時点に走行中のルートが、どの道路カテゴリーであるかの追加情報がカード情報に含まれている必要がある。走行中の道路カテゴリーを妥当化するための、このようなオプション的なステップＳ０９は、必ずしも必要ではなく、ナビゲーションシステムのない車両においては省いてもよいが、その場合、道路カテゴリーの決定は、ステップＳ０４およびＳ０５の決定だけに基づいて行われる。
【００２２】
次のステップＳ１０で、自車１５が別の道路使用者と最初に衝突したかどうかが算出される。通常の場合、最初の衝突は存在しないので、この試験はステップＳ１０では否定的であり行われず、ステップＳ１０はその結果「ｎｅｉｎ（ノー）」に分岐し、次いでこの方法はステップＳ０２に戻り、前記方法ステップが繰り返し新たに実施される。ステップＳ１０で別の道路使用者との最初の衝突が検知されると、ステップＳ１０は「ｊａ（イエス）」に分岐し、次のステップＳ１１で、車両１５の減速装置１３が装置１によって相応に制御されることで、自動非常ブレーキが作動開始される。適合した初期間隔ｄ０を用いて、瞬間的に演算されたブレーキモデルが得られ、衝突程度をブレーキ解放によってさらに低減させることができる限りは、予想され得る後続車両との衝突危険性または衝突程度を低減させるために、ステップＳ１１で作動開始された自動非常ブレーキは、ステップＳ１２でブレーキ解放が行われることにより、減速装置をコントロールして解放することによって自動的に終了され得る。
【００２３】
この場合、ブレーキモデルに関して、特許文献１の開示を参照されたい。この特許文献に、このモデルが記載されていて、その開示内容は、本発明によって全体的に考慮されるべきである。ステップＳ１２で、衝突程度を低減させるためにブレーキ解放が適していると判断され、この際に、瞬間的な道路カテゴリーに適合された初期間隔ｄ０が用いられると、本発明による方法はステップＳ１３で終了される。
【符号の説明】
【００２４】
１  初期間隔ｄ０を決定するための装置
２  入力回路
３  速度センサ
４  加速度センサ
５  ステアリングアングルセンサ
６  トランスミッションセンサ
７  周囲センサシステム
８  データ交換装置
９  処理装置、演算装置
１０  記憶装置、環状記憶装置
１１  出力回路
１３  減速装置、ブレーキ装置
１４  道路カテゴリー
１５  自車、車両
１６  道路使用者
ａ    車両加速度若しくは車両減速度
ｄ    間隔
ｄ０  間隔、初期間隔
Ｖ１  車速
Ｖｒｅｌ  相対速度
Ｓ０１〜Ｓ１３  ステップ
【図１】
0006367323.tif 000002
【図２】
0006367323.tif 000003
【図３】
0006367323.tif 000004